(57)【要約】【課題】器具本体の周囲温度が変化した場合でも、明るさの変化が少なく且つ所定の明るさを器具周囲温度２５℃〜４０℃に渡って常に実現し、実装スペースを下げることにある。【解決手段】照明器具本体１を異なる温度特性を有する高周波専用環型蛍光ランプ５と高周波専用二重環型蛍光ランプ６とで組み合わせて形成する。この結果、照明器具本体１の周囲の温度が変化しても明るさの変化が少なく且つ広範囲の温度に対し所定の明るさを実現することができる。【選択図】      図１
2005005032.tif 000002
【特許請求の範囲】
【請求項１】
異なる温度特性を有する複数の蛍光ランプを組み合わせることにより、照明器具本体の周囲の温度が変化しても明るさの変化が少なく且つ広範囲の温度に対し所定の明るさを実現することを特徴とする照明器具。
【請求項２】
前記複数の蛍光ランプは、色温度の異なる蛍光ランプを組み合わせ、器具本体周囲の温度に応じて異なる光色を得ることを特徴とする請求項１記載の照明器具。
【請求項３】
前記複数の蛍光ランプは、高周波専用環型蛍光ランプと、高周波専用二重環型蛍光ランプとを使用することを特徴とする請求項１記載の照明器具。
【請求項４】
前記複数の蛍光ランプは、高周波専用環型あるいは高周波専用二重環型を含む環型蛍光ランプと、直管形蛍光ランプとを組み合わせたことを特徴とする請求項１記載の照明器具。
【請求項５】
器具本体を天井や壁などに固定するための取付板と、ランプ点灯用の点灯回路と、前記取付板の内側に設けられるとともに、前記点灯回路を固定するボードと、環形状を有すると共に第一の直径を持って形成された高周波専用環型蛍光ランプと、二重の環形状を有すると共に第二の直径を持って形成された高周波専用二重環型蛍光ランプと、前記蛍光ランプを保護するための球面状をした器具グローブとを有することを特徴とする照明器具。
【請求項６】
前記高周波専用二重環型蛍光ランプは、前記高周波専用環型蛍光ランプの内側もしくは外側に配置されるとともに、前記高周波専用環型蛍光ランプおよび前記高周波専用二重環型蛍光ランプはソケット機能を備え、前記環形状を結合するプラスチック製の結合部を有することを特徴とする請求項５記載の照明器具。
【発明の詳細な説明】
【０００１】
【発明の属する技術分野】
本発明は照明器具に関し、特にその周囲の温度変化に対しても所定の明るさを保つ照明器具に関する。
【０００２】
【従来の技術】
通常、新たに照明器具を取り付ける際には、必要な明るさを得るために器具の種類、器具台数を選定することが必要である。この際、器具によって得られる明るさは、２５℃雰囲気下で測定されたデータがもとになっており、雰囲気温度の変化に対しての考慮はされないのが一般的である。
【０００３】
しかし、蛍光ランプは雰囲気温度の変化により明るさが変化するため、冷暖房や外気温による照明器具雰囲気温度の変化に対して、明るさが変化してしまう。その上、使用する蛍光ランプによっては温度変化により必要な明るさが得られないことがある。また、蛍光ランプの雰囲気温度の変化に対する明るさの変動率（＝周囲温度特性）は、蛍光ランプの種類によっても異なっている。
【０００４】
このような従来の蛍光ランプを備えた照明器具は、周囲温度特性が同一の蛍光ランプを複数組み合わせて搭載し、必要な明るさを得ることが一般的であり、その為に周囲温度に対しての光出力の変化が蛍光ランプの周囲温度特性にのみ依存し、著しく変化をしていた。すなわち、所定の明るさよりも著しく低下していた。
【０００５】
また、蛍光ランプには様々な色温度（色温度が低い＝光色が赤みのある光になる。色温度が高い＝光色が白みのある光になる。）があり、温度の低い冬には色温度の低い色温度が好ましく、温度の高い夏には色温度が高いものが好ましい。しかし、天井等に設置される照明器具の蛍光ランプを交換するのは容易な作業ではなく、気温変化に対して蛍光ランプの交換は行われていないのが現状である。
【０００６】
また、従来の照明器具においても、色温度の異なる２つの蛍光灯を調光し、トータルの光束を一定にすることにより、任意の色温度を実現する照明装置が知られている（例えば、特許文献１参照）。
【０００７】
図３は上述した従来の一例を説明するための各種ランプにおける光出力特性図である。図３に示すように、従来の照明器具は、例えば器具組み込み蛍光ランプとして通常の環型蛍光ランプ（ＦＣＬ）を２つ用い、室温２５℃における明るさを１００％としたとき、周囲の雰囲気温度４０℃における明るさが９２．６％に低下することを表わしている。また、この環型蛍光ランプ（ＦＣＬ）の２５〜４０℃における最高明るさと最小明るさの比率は、１０７．９９％である。
【０００８】
同様に、器具組み込み蛍光ランプとして高周波専用環型蛍光ランプ（ＦＨＣ）を２つ用い、室温２５℃における明るさを１００％としたとき、周囲の雰囲気温度４０℃における明るさが９８．１％になることを表わしている。また、この環型蛍光ランプ（ＦＨＣ）の２５〜４０℃における最高明るさと最小明るさの比率は、１０３．３６％である。
【０００９】
さらに、器具組み込み蛍光ランプとして高周波専用二重環型蛍光ランプ（ＦＨＤ）を２つ用い、室温２５℃における明るさを１００％としたとき、周囲の雰囲気温度４０℃における明るさが１０８．３％になることを表わしている。また、この環型蛍光ランプ（ＦＨＤ）の２５〜４０℃における最高明るさと最小明るさの比率は、１０９．６０％である。
【００１０】
【特許文献１】
特開平８−６４３６９号公報（第３頁  図１）
【００１１】
【発明が解決しようとする課題】
上述した特許文献１に記載された従来の照明器具は、調光のための演算装置や調光制御部あるいはデータテーブルを必要とし、制御装置が大がかりになるという欠点がある。しかも、ランプを交換する都度、キー入力する煩わしさがある。
【００１２】
また、図３のような照明器具、すなわち温度特性の同一な蛍光ランプを組み合わせた器具では、温度による明るさの変化が大きく、しかも必要な明るさを得られなくなるという問題がある。
【００１３】
特に、高周波専用環型蛍光ランプ（ＦＨＣ）においては、最高明るさと最小明るさの比率は低いが、周囲温度が４０℃程度まで高くなると、光出力が２５℃の１００％を割り込んでしまうという欠点がある。
【００１４】
本発明の目的は、器具本体の周囲温度が変化した場合でも、明るさの変化が少なく且つ所定の明るさを器具周囲温度２５℃〜４０℃に渡って常に実現すると共に、実装スペースを下げることのできる照明器具を提供することにある。
【００１５】
【課題を解決するための手段】
本発明の照明器具は、異なる温度特性を有する複数の蛍光ランプを組み合わせることにより、照明器具本体の周囲の温度が変化しても明るさの変化が少なく且つ広範囲の温度に対し所定の明るさを実現することを特徴としている。
【００１６】
また、本発明の照明器具は、器具本体を天井や壁などに固定するための取付板と、ランプ点灯用の点灯回路と、前記取付板の内側に設けられるとともに、前記点灯回路を固定するボードと、環形状を有すると共に第一の直径を持って形成された高周波専用環型蛍光ランプと、二重の環形状を有すると共に第二の直径を持って形成された高周波専用二重環型蛍光ランプと、前記蛍光ランプを保護するための球面状をした器具グローブとを有することを特徴としている。
【００１７】
【発明の実施の形態】
次に、本発明の実施の形態について図面を参照して説明する。
【００１８】
図１（ａ），（ｂ）はそれぞれ本発明の一実施の形態を示す照明器具の正面断面図およびランプ部のみの平面図である。図１（ａ），（ｂ）に示すように、本実施の形態における器具本体１は、本体１を天井や壁などに固定するための取付板２と、ランプ点灯用の点灯回路４と、この取付板２の内側に設けられるとともに、ランプ点灯用の点灯回路４を固定するボード３と、管形状を有すると共に大きな直径を持って形成された高周波専用環型蛍光ランプ５と、二重の管形状を有すると共に小さな直径を持って形成された高周波専用二重環型蛍光ランプ６と、これらの蛍光ランプ５，６を保護するための球面状をした器具グローブ７とで構成される。また、これらの蛍光ランプ５，６は、蛍光ランプ５の内側に蛍光ランプ６が配置されるとともに、それぞれソケット機能を備え、管を結合するプラスチック製の結合部８Ａ，８Ｂを有している。
【００１９】
かかる器具本体１において、蛍光ランプ５，６は、異なる温度特性を有して組み合わせることにより、照明器具周囲の温度が変化しても明るさの変化が少なく、かつどの温度においても必要な明るさを得ることが可能になる。
【００２０】
これらの異なる温度特性を有する蛍光ランプ５，６を組み合わせる際に、色温度の異なる蛍光ランプを組み合わせ、雰囲気温度に応じて異なる光色を得ることが出来る。また、異なる温度特性を有する蛍光ランプ５，６を組み合わせる際に、高周波専用環型蛍光ランプ（＝ＦＨＣ）と高周波専用二重環型蛍光ランプ（＝ＦＨＤ）を使用してもよく、さらに、異なる温度特性を有する蛍光ランプ５，６を組み合わせる際に、環型蛍光ランプ（高周波専用、高周波専用二重環型を含む）と、直管形蛍光ランプとを組み合わせることも可能である。
【００２１】
図２は図１における照明器具の光出力特性図である。図２に示すように、本実施の形態においては、器具組み込み蛍光ランプとして１つの高周波専用環型蛍光ランプ（ＦＨＣ）５と、１つの高周波専用二重環型蛍光ランプ（ＦＨＤ）６とを用い、室温２５℃における明るさを１００％としたとき、周囲の雰囲気温度４０℃における明るさが１０３．２％になることを表わしている。また、この環型蛍光ランプ（ＦＨＣ）５および高周波専用二重環型蛍光ランプ（ＦＨＤ）６を組み合わせた場合の２５〜４０℃における最高明るさと最小明るさの比率は、１０４．３２％である。
【００２２】
かかる本実施の形態における光出力特性は、周囲温度２５〜４０℃に対し、１００〜１０５％の割合で安定した光出力を出すことができる。また、これら高周波専用環型蛍光ランプ（ＦＨＣ）５と、高周波専用二重環型蛍光ランプ（ＦＨＤ）６とは、サイズが異なるため、実装スペースを小さくすることもできる。
【００２３】
以上は一実施の形態について説明したが、これらの他にも、異なる周囲温度特性を有する蛍光ランプを１台の器具に組み合わせる際に、低い温度で光出力が最大となる蛍光ランプに色温度が比較的低い蛍光ランプを用い、高い温度で光り出力が最大となる蛍光ランプに色温度が比較的高い蛍光ランプを用いることにより、周囲温度に応じて、しかも自然に色温度が好ましく変化するようにしたり、あるいは異なる周囲温度特性を有する蛍光ランプを１台の器具に組み合わせる際に、環型形状を有する蛍光ランプと、直管形蛍光ランプを用いた蛍光ランプとを組み合わせても良い。
【００２４】
また、上述した一実施の形態において、高周波専用環型蛍光ランプ（ＦＨＣ）５は、高周波専用二重環型蛍光ランプ（ＦＨＤ）６よりも直径を大きいとして説明したが、この逆に形成してもよい。
【００２５】
【発明の効果】
以上説明したように、本発明の照明器具は、異なる周囲温度特性を備えた複数の蛍光ランプを１台の器具本体に組み込むことにより、周囲温度が変化した場合でも、明るさの変化が少なく且つ必要な所定の明るさを器具周囲温度２５℃〜４０℃に渡って常に実現できるという効果がある。また、本発明によれば、実装スペースを下げることができるという効果がある。
【図面の簡単な説明】
【図１】本発明の一実施の形態を示す照明器具の正面断面およびランプ部のみの平面を表わす図である。
【図２】図１における照明器具の光出力特性図である。
【図３】従来の一例を説明するための各種ランプにおける光出力特性図である。
【符号の説明】
１    器具本体
２    取付板
３    ボード
４    点灯回路
５    高周波専用環型蛍光ランプ
６    高周波専用二重環型蛍光ランプ
７    器具グローブ
８Ａ，８Ｂ    結合部
【図１】
2005005032.tif 000003
【図２】
2005005032.tif 000004
【図３】
2005005032.tif 000005